(57)【要約】【課題】複数の板状透明部材を１枚ずつ保持枠体で保持し、隣接する保持枠体どうしを係合部により係脱可能とし、さらに板状透明部材と保持枠体とを着脱可能に構成することにより、透明枠体の組立作業性、交換作業性、メンテナンス性、環境対応性を向上させること。【解決手段】パチンコ機２の遊技盤面６を遊技者にとって視認可能とするために遊技盤面６の手前側に配置されるガラス枠ユニット１０の取付構造であって、ガラス枠ユニット１０は、複数のガラス１１ａ，１１ｂとその外周部１１ｃ，１１ｄとを保持する保持枠１２を有して構成され、保持枠１２は、複数のガラス１１ａ，１１ｂを１枚ずつ保持する複数の保持枠体１２ｃ，１２ｄを有して構成され、隣接する保持枠体どうしの対向面１２ｆ，１２ｈに互いを係合する係合部１２ｅが設けられ、かつ、係合部１２ｅを係合することにより保持枠体１２ｃ，１２ｄが積層可能とされている。【選択図】図３
2007244677.tif 000002
【特許請求の範囲】
【請求項１】
遊技機の遊技盤面を遊技者にとって視認可能とするために遊技盤面の手前側に配置され
る透明枠体の取付構造であって、
前記透明枠体は、複数の板状透明部材とその外周部を保持する保持枠とを有して構成さ
れ、
前記保持枠は、前記複数の板状透明部材を１枚ずつ保持する複数の保持枠体を有して構
成され、
隣接する該保持枠体どうしの対向面に互いを係合する係合部が設けられ、かつ、
該係合部を係合することにより前記保持枠体が積層可能とされていることを特徴とする
透明枠体の取付構造。
【請求項２】
前記係合部が、一方の保持枠体に設けられた係合凸部と他方の保持枠体に設けられた係
合凹部とを有して構成されることを特徴とする請求項１に記載の透明枠体の取付構造。
【請求項３】
前記係合部により係合された前記隣接する保持枠体どうしが、少なくとも異なる２方向
への相対移動により分離可能とされていることを特徴とする請求項１に記載の透明枠体の
取付構造。
【請求項４】
前記板状透明部材はガラス部材であり、かつ少なくとも１枚が強化ガラスとされている
ことを特徴とする請求項１に記載の透明枠体の取付構造。
【請求項５】
前記保持枠部材が金属又は樹脂により形成されていることを特徴とする請求項１に記載
の透明枠体の取付構造。
【請求項６】
前記保持枠体が複数の保持枠部材を有して構成され、
該各保持枠部材の、前記板状透明部材の外周部に対向する内面に該外周部が挿入される
溝部が形成され、
該溝部に前記板状透明部材の外周部が挿入されて前記複数の保持枠部材によって前記板
状透明部材が囲まれるように保持され、かつ、
前記複数の保持枠部材どうしが取り外し可能に連結されることにより前記板状透明部材
が前記保持枠体に対し着脱可能とされていることを特徴とする請求項１に記載の透明枠体
の取付構造。
【請求項７】
前記保持枠体が、両端部を有する１の保持枠部材から構成され、
該両端部を広げることにより前記板状透明部材を内部に受け入れるための受入開口を形
成可能であり、
該保持枠部材の、前記板状透明部材の外周部に対向する内面に該外周部が挿入される溝
部が形成され、
該溝部に前記板状透明部材の外周部が挿入されて前記両端部が閉じられることにより前
記保持枠部材によって前記板状透明部材が囲まれるように保持され、かつ、
前記両端部が互いに取り外し可能に連結されることにより前記板状透明部材が前記保持
枠に対し着脱可能とされていることを特徴とする請求項１に記載の透明枠体の取付構造。
【請求項８】
前記保持枠部材が、可撓性を有することにより前記受入開口を形成可能であることを特
徴とする請求項７に記載の透明枠体の取付構造。
【請求項９】
前記保持枠部材が、前記保持枠体の積層方向を軸とする回転軸部を有し、前記保持枠部
材の一部が該回転軸部を支点として回転することにより前記受入開口を形成可能であるこ
とを特徴とする請求項７に記載の板状透明部材の取付構造。
【請求項１０】
前記板状透明部材の外周部と前記溝部との間に、密閉部材が設けられることを特徴とす
る請求項６又は請求項７に記載の透明枠体の取付構造。
【請求項１１】
遊技機の遊技盤面を遊技者にとって視認可能とするために遊技盤面の手前側に配置され
る透明枠体であって、
複数の板状透明部材と、
該複数の板状透明部材をその外周で１枚ずつ保持する複数の保持枠体を有して構成され
た保持枠と、を有し、
前記複数の保持枠体を積層配置した際の隣接する該保持枠体どうしの対向面に互いを係
合する係合部を有することを特徴とする透明枠体。
【請求項１２】
前記各保持枠体が、
前記板状透明部材の外周部に対向するその内面に該外周部を挿入するために形成された
溝部と、
該溝部に前記外周部を挿入して前記板状透明部材を着脱可能に保持するために互いに連
結解除が可能な連結部と、を有することを特徴とする請求項１１に記載の透明枠体。
【請求項１３】
前記連結部が、フック状の係止部又は該係止部挿入用の係止穴を有して構成されている
ことを特徴とする請求項１２に記載の透明枠体。
【請求項１４】
前記保持枠が、前記遊技機の遊技盤面周囲を装飾する装飾枠に組み付けるために所定距
離離間して配置された実質的に同形状の複数の枠取付部をさらに有することを特徴とする
請求項１１に記載の透明枠体。
【請求項１５】
筐体に取り付けられる機枠と、
該機枠内に構成され、遊技者に対して所定遊技を表現する遊技盤面と、
該遊技盤面の周囲を装飾するための装飾枠と、
該装飾枠に組み付けられ、前記遊技盤面を前記遊技者にとって視認可能とするとともに
該遊技者の該遊技盤面への侵入を防止する請求項１１に記載の透明枠体と、
有価価値を有する遊技媒体を前記所定遊技に基づいて払い出す機構盤と、
払い出された前記遊技媒体を貯留する貯留皿と、
前記所定遊技において前記遊技媒体に関連して各種操作を行うための操作部と、を有す
ることを特徴とする遊技機。
【発明の詳細な説明】
【技術分野】
【０００１】
本発明は、遊技機の遊技盤面を視認可能にするための透明枠体、その取付構造及びその
透明枠体を有する遊技機に係り、特に、遊技機に用いるガラスや透明樹脂等の複数の板状
透明部材の交換作業性を向上させた透明枠体等に関する。本発明は、パチンコ機、スロッ
ト機、パロット機、その他の各種遊技機に適用可能である。
【背景技術】
【０００２】
遊技機（パチンコ機等）の遊技盤面の手前側には、板状透明部材の一種であるガラスが
使用されてきた。このガラスは、遊技者の遊技盤面視認性の確保、遊技者による遊技盤面
への不正侵入防止、遊技盤面上を流下する遊技媒体の遊技機外への落下防止等の様々な機
能を有している。ここで、「手前側」とは、遊技機から見て遊技者側を意味し、すなわち
、板状透明部材は遊技盤面と遊技者との間の空間に配置される。
【０００３】
従来、このガラスを保持するための保持枠にガラスを取り付けるための構造としては接
着剤を使用したいわゆる接着構造が利用されている。図９は、その従来のガラス取付構造
の例を説明するための図である。この図は、保持枠１００に対し、表裏からガラスを２枚
取り付ける例を示している。
【０００４】
保持枠１００は閉形状の単部品であり、その内部にガラスを保持するための開口部が形
成されている。この開口部に外形形状が略一致するガラス１０４が嵌め込まれてその外周
に沿って接着剤１０８が塗布され、ガラスが保持枠１００に固着される。同様に裏面側に
おいてもガラス１０６が開口部に嵌め込まれ、その外周が接着剤１０８によって接着され
る。
【０００５】
接着剤でガラス１０４，１０６を保持枠１００に接着するので強固に固着することがで
き、ガラス１０４，１０６が保持枠１００から脱落することが殆どない反面、ガラス１０
４，１０６を保持枠１００から取り外すことは非常に困難となる。また、開口部の両面に
２枚のガラス１０４，１０６が接着されるので、２枚のガラス１０４，１０６に挟まれた
内部空間１０２は略密閉空間となる。そのため、その密閉空間に生じる曇り等を防止する
ことを目的として、保持枠１００の所定部分には内部空間１０２と連通する孔１０２ａが
あけられた上でそこに乾燥剤１１０が配置されることがある。
【０００６】
なお、従来の遊技機のガラス及びその保持枠の取付構造として、例えば特許文献１，２
に開示されるものがある。
【特許文献１】特開平９−７１８号公報
【特許文献２】特開２００５−２１８７６３
【発明の開示】
【発明が解決しようとする課題】
【０００７】
しかし、上述したように従来の構造によれば、ガラス１０４，１０６を保持枠１００か
ら取り外すことは非常に困難である。特に近年は環境問題が注目され、部品の廃棄の際に
は材料ごとに分類して分離廃棄する必要があるが、この従来の構造によれば金属やプラス
チック等で形成された保持枠１００、エポキシ等の樹脂を材料とする接着剤１０８、ガラ
ス１０４，１０６を分離することは非常に困難である。そのため、実態としては分離され
ずにそのまま一体として廃棄されていたり、多大な手間とコストを費やして分離作業を行
ったりしていた。
【０００８】
また、ガラス１０４，１０６と保持枠１００との分離が困難であるので、例えば、内部
空間１０２に発生した曇りが乾燥剤１１０によってもなかなか除去できない場合にも、ガ
ラスの内面（すなわち、ガラス１０４，１０６の内部空間１０２側の面）を清拭すること
が困難であった。
【０００９】
何らかの理由でガラス１０４，１０６が破損したり、除去不可能な傷や汚れが付着した
場合にも、１枚ごとに又はガラスのみを交換することができず、保持枠と一体として交換
する必要があるので、部品交換のコストも高いものであった。
【００１０】
本発明は、上記の事情に鑑みてなされたもので、複数の板状透明部材を１枚ずつ保持枠
体で保持することによりガラス１枚ごとの分離を容易にし、曇り発生時等のメンテナンス
性を向上させ、かつ部品交換時のコスト低減に寄与することのできる透明枠体及びその取
付構造等を提供することを例示的課題とする。
【００１１】
また、隣接する保持枠体どうしを係合部により係脱可能とすることで、透明枠体の組立
作業性、交換作業性の向上に寄与することのできる透明枠体及びその取付構造等を提供す
ることを他の例示的課題とする。
【００１２】
さらに、板状透明部材と保持枠体とを着脱可能に構成することにより、廃棄時に両者を
容易に分離することができて環境問題を良好に解決し、かつ部品交換時のコスト低減に寄
与することのできる透明枠体の取付構造等を提供することを他の例示的課題とする。
【課題を解決するための手段】
【００１３】
上記の課題を解決するために、本発明の例示的側面としての透明枠体の取付構造は、遊
技機の遊技盤面を遊技者にとって視認可能とするために遊技盤面の手前側に配置される透
明枠体の取付構造であって、透明枠体は、複数の板状透明部材その外周部を保持する保持
枠とを有して構成され、保持枠は、複数の板状透明部材を１枚ずつ保持する複数の保持枠
体を有して構成され、隣接する保持枠体どうしの対向面に互いを係合する係合部が設けら
れ、かつ、係合部を係合することにより保持枠体が積層可能とされていることを特徴とす
る。
【００１４】
なお、ここで保持枠とは、複数の保持枠体が積層されて構成された集合体を意味し、保
持枠部材は１つの保持枠体を構成する構成部材を意味する。
【００１５】
板状透明部材を１枚保持する保持枠体が係脱可能に複数積層されているので、板状透明
部材の１枚のみの交換作業を容易に行うことができるうえに、板状透明部材の交換コスト
を低減することができる。板状透明部材間の曇りや汚れの除去等のメンテナンスも容易に
行うことができる。また、隣接する保持枠体どうしが係合部により係合されているので、
透明枠体を遊技機に組立てる際に保持枠体がばらばらに分離してしまうことがない。した
がって、本取付構造により、透明枠体の交換作業性向上、交換コストの低減、メンテナン
ス性向上、組立作業性向上等の様々な効果を得ることができる。
【００１６】
係合部が、一方の保持枠体に設けられた係合凸部と他方の保持枠体に設けられた係合凹
部とを有して構成されていてもよい。係合部が係合凸部と係合凹部とを有して構成されて
いるので、２つの保持枠体の係脱作業が簡単となる。したがって、より交換作業性、メン
テナンス性を向上させることができる。
【００１７】
係合部により係合された隣接する保持枠体どうしが、少なくとも異なる２方向への相対
移動により分離可能とされていてもよい。２つの保持枠体を分離する際に、少なくとも異
なる２方向へ両者を相対移動させる必要があるので、不用意に両者が分離してしまうこと
がない。したがって、安全確実に透明枠体の組立作業やメンテナンス作業を行うことがで
きる。
【００１８】
板状透明部材はガラス部材であり、かつ少なくとも１枚が強化ガラスとされていてもよ
い。板状透明部材を例えばパチンコ機等の遊技機で使用する場合は、透明度・強度・対傷
性・対汚れ性・耐熱性・メンテナンス性等の面でガラス部材を用いることが好ましい。さ
らに、少なくとも１枚を強化ガラスとすることにより、遊技者による遊技盤面への侵入防
止や破損防止の効果をさらに向上させることができる。なお、近年は透明プラスチック材
料の機能向上が著しく、上記性能（透明度・強度・対傷性・対汚れ性・耐熱性・メンテナ
ンス性等）及びコスト面の要求を満足すれば、もちろんガラスに代えて透明樹脂材料（ア
クリル樹脂・スチロール樹脂・ポリカーボネート樹脂等）を使用することも可能である。
【００１９】
保持枠部材が金属又は樹脂により形成されていてもよい。これらの材料を用いることに
より、保持枠部材の製造容易・製造コスト低減に寄与するのみならず、分離廃棄後のリサ
イクル使用も可能となり、環境問題に良好に適合することとなる。
【００２０】
保持枠体が複数の保持枠部材を有して構成され、各保持枠部材の、板状透明部材の外周
部に対向する内面に外周部が挿入される溝部が形成され、溝部に板状透明部材の外周部が
挿入されて複数の保持枠部材によって板状透明部材が囲まれるように保持され、かつ、複
数の保持枠部材どうしが取り外し可能に連結されることにより板状透明部材が保持枠体に
対し着脱可能とされていてもよい。
【００２１】
複数の保持枠部材によって板状透明部材が囲まれるように保持されるので、その取付作
業が容易である。しかも、保持枠部材の溝部に板状透明部材の外周部が挿入されるので、
確実に板状透明部材を保持枠部材に取り付けることができる。取付時にその取付位置がず
れてしまうこともなく、また使用中に板状取付部材が脱落したりすることもない。複数の
保持枠部材どうしが取り外し可能に連結されることにより、取付後にも容易に保持枠体と
板状透明部材とが着脱可能である。したがって、廃棄の際に両者を容易に分離可能であり
、また、メンテナンス時や部品交換時にも、保持枠体から板状透明部材を容易に取り外す
ことができる。
【００２２】
保持枠体が、両端部を有する１の保持枠部材から構成され、両端部を広げることにより
板状透明部材を内部に受け入れるための受入開口を形成可能であり、保持枠部材の、板状
透明部材の外周部に対向する内面に外周部が挿入される溝部が形成され、溝部に板状透明
部材の外周部が挿入されて両端部が閉じられることにより保持枠部材によって板状透明部
材が囲まれるように保持され、かつ、両端部が互いに取り外し可能に連結されることによ
り板状透明部材が保持枠に対し着脱可能とされていてもよい。
【００２３】
両端部を有する１の保持枠部材によって形成される受入開口から板状透明部材を内部に
受け入れるので、その取付作業が容易である。しかも、保持枠部材の溝部に板状透明部材
の外周部が挿入されるので、確実に板状透明部材を保持枠部材に取り付けることができる
。取付時にその取付位置がずれてしまうこともなく、また使用中に板状取付部材が脱落し
たりすることもない。保持枠部材の両端部が互いに取り外し可能に連結されることにより
、取付後にも容易に保持枠体と板状透明部材とが着脱可能である。したがって、廃棄の際
に両者を容易に分離可能であり、また、メンテナンス時や部品交換時にも、保持枠体から
板状透明部材を容易に取り外すことができる。
【００２４】
その１の保持枠部材が、可撓性を有することにより受入開口を形成可能であってもよい
し、保持枠部材が保持枠体の積層方向を軸とする回転軸部を有し、保持枠部材の一部が回
転軸部を支点として回転することにより受入開口を形成可能であってもよい。
【００２５】
例えば、略Ｃ字状に形成された保持枠部材が可撓性を有するように構成すれば、その変
形を利用して両端部を広げ、板状透明部材を内部に受け入れるための受入開口（すなわち
Ｃ字の切欠部）を形成することが容易となる。したがって、板状透明部材の保持枠体への
組立作業性が向上する。一方、保持枠部材の一部が回転軸部を支点として回転可能となる
ように構成すれば、その回転動作により受入開口を大きく開くことが可能となり、さらに
板状透明部材の保持枠体への組立作業性が向上する。
【００２６】
板状透明部材の外周部と溝部との間に、密閉部材が設けられてもよい。ここで密閉部材
とは、例えばシリコン樹脂やウレタン樹脂等で形成されたいわゆるパッキン又はシール部
材を意味する。これらを用いることで、板状透明部材のガタ付きや振動を防止することが
できる。また、板状透明部材を複数枚用いるときにそれらによって形成される内部空間を
密閉空間とする効果も得られる。
【００２７】
本発明の他の例示的側面としての透明枠体は、遊技機の遊技盤面を遊技者にとって視認
可能とするために遊技盤面の手前側に配置される透明枠体であって、複数の板状透明部材
と、複数の板状透明部材をその外周で１枚ずつ保持する複数の保持枠体を有して構成され
た保持枠と、を有し、複数の保持枠体を積層配置した際の隣接する保持枠体どうしの対向
面に互いを係合する係合部を有することを特徴とする。
【００２８】
板状透明部材を１枚保持する保持枠体が係脱可能に複数積層されているので、板状透明
部材の１枚のみの交換作業を容易に行うことができるうえに、板状透明部材の交換コスト
を低減することができる。板状透明部材間の曇りや汚れの除去等のメンテナンスも容易に
行うことができる。また、隣接する保持枠体どうしが係合部により係合されているので、
透明枠体を遊技機に組立てる際に保持枠体がばらばらに分離してしまうことがない。した
がって、本透明枠体においては交換作業性向上、交換コストの低減、メンテナンス性向上
、組立作業性向上等の様々な効果を得ることができる。
【００２９】
各保持枠体が、板状透明部材の外周部に対向するその内面に外周部を挿入するために形
成された溝部と、溝部に外周部を挿入して板状透明部材を着脱可能に保持するために互い
に連結解除が可能な連結部と、を有してもよい。
【００３０】
溝部に板状透明部材の外周部が挿入されるので、確実に板状透明部材を取り付けること
ができる。取付時にその取付位置がずれてしまうこともなく、また使用中に板状取付部材
が脱落したりすることもない。互いに連結解除が可能な連結部を有しているので、板状透
明部材の取付後にも容易に保持枠体と板状透明部材とが着脱可能である。したがって、廃
棄の際に両者を容易に分離可能であり、また、メンテナンス時や部品交換時にも、保持枠
体から板状透明部材を容易に取り外すことができる。
【００３１】
連結部が、フック状の係止部又は係止部挿入用の係止穴を有して構成されていてもよい
。フック状の係止部が係止穴に挿入されて連結されるようにすると、その連結の際に別段
の工具等を必要とせず、組立作業が非常に容易となる。ネジ等を用いないので部品点数も
低減することができ、材料数を低減することにもなるので廃棄時の環境問題にさらに良好
に適合する。なお、もちろん連結解除が可能な連結部として、フック状の係止部等のほか
にネジ・面ファスナ等の締結部材も適用可能である。
【００３２】
保持枠が、遊技機の遊技盤面周囲を装飾する装飾枠に組み付けるために所定距離離間し
て配置された実質的に同形状の複数の枠取付部をさらに有してもよい。遊技機においては
、この板状透明部材を保持した保持枠が装飾枠に組み付けられて使用される。装飾枠に組
み付けるための枠取付部が保持枠に複数設けられかつ同形状であれば、保持枠の製造や保
持枠の装飾枠への組み付けが容易となって製造組立コストの低減にも寄与することができ
る。また、枠取付部を所定距離離間して配置することにより、取付強度を確保しつつバラ
ンスよく取付を行うことができる。なお、枠取付部は保持枠体の１つに設けられていても
よい。
【００３３】
本発明のさらに他の例示的側面としての遊技機は、筐体に取り付けられる機枠と、機枠
内に構成され、遊技者に対して所定遊技を表現する遊技盤面と、遊技盤面の周囲を装飾す
るための装飾枠と、装飾枠に組み付けられ、遊技盤面を遊技者にとって視認可能とすると
ともに遊技者の遊技盤面への侵入を防止する上記の透明枠体と、有価価値を有する遊技媒
体を所定遊技に基づいて払い出す機構盤と、払い出された遊技媒体を貯留する貯留皿と、
所定遊技において遊技媒体に関連して各種操作を行うための操作部と、を有することを特
徴とする。
【００３４】
この遊技機によれば、透明枠体の組立作業性向上、交換作業性向上、交換コストの低減
、メンテナンス性向上を図ることができ、さらに廃棄時の環境適合性も良好とすることが
できる。遊技者の視認性確保、侵入防止効果も充分に得ることができる。
【００３５】
本発明の更なる課題又はその他の特徴は、以下添付図面を参照して説明される好ましい
実施例によって明らかにされるであろう。
【発明の効果】
【００３６】
本発明によれば、板状透明部材、保持枠を含む透明枠体の組立作業性向上、交換作業性
向上、交換コストの低減、メンテナンス性向上を図ることができ、さらに廃棄後の環境問
題を良好に解決することができる。板状透明部材にガラスや強化ガラスを用いた場合には
、遊技者の視認性確保、侵入防止効果も充分に得ることができる。
【発明を実施するための最良の形態】
【００３７】
［実施の形態１］
以下、本発明の実施の形態１について図面を用いて説明する。図１は、本発明の実施の
形態１に係る透明枠体を有する遊技機の外観斜視図である。本実施の形態１においては、
遊技機としてパチンコ機２（組合せ式パチンコ機、封入循環式パチンコ機等を含む）を例
として説明するが、もちろん遊技機としてはパチンコ機に限定されず、パチスロ機、スロ
ットマシンを含むスロット機、パロット機（パチンコ球を媒体とした回胴式遊技機）テレ
ビゲーム機、ゲームセンター等に設置される様々なアーケードマシンが考えられる。
【００３８】
パチンコ機２は、機枠４、遊技盤面６、装飾枠８、ガラス枠ユニット（透明枠体）１０
、機構盤（図示せず）、貯留皿３２、操作部３４を有して大略構成される。機枠４はパチ
ンコ機２全体を包含する筐体（木製の筐体枠３）に取り付けられ、その内側に遊技盤面６
が配置される。
【００３９】
遊技盤面６は、機枠４内に構成され、遊技者に対して所定遊技を表現するためのもので
ある。すなわち、遊技盤面６内には多数の障害釘６ａ、入賞口６ｂ、通過口６ｃ、変動入
賞装置６ｄ、可変表示装置６ｅ、アウト口６ｆ等が配置され、遊技者の操作によって発射
レール（図示せず）から案内レール６ｈに沿って打ち出された遊技媒体としてのパチンコ
球（以下、単に球という。）が遊技盤面上を流下する。
【００４０】
球は多数の障害釘６ａにぶつかりながらその流下方向を変えつつ遊技盤面６上を流下す
る。そして、あるものは入賞口６ｂに入賞して景品球払出の起因となり、あるものは通過
口６ｃを通過して可変表示装置６ｅによる図柄変動ゲーム開始の起因となり、あるものは
いずれにも入賞せずにアウト口へと至るようになっている。可変表示装置６ｅによる図柄
変動ゲームが、予め定められた特定図柄の表示により停止した場合、変動入賞装置６ｄが
球を受け入れ易い状態へと変化する。そして、球が変動入賞装置６ｄに入賞するたびに所
定の景品球払出が行われ、遊技者は多量の景品球を獲得することができるようになってい
る。このように遊技盤面６では遊技者に対して所定遊技が表現されるが、その遊技の構成
は遊技盤面６の種類ごとに様々あり、また公知であるので詳細については省略する。
【００４１】
装飾枠８は、遊技盤面６の周囲を装飾するためのものである。装飾枠８の表面には意匠
が施され、遊技を演出するためのランプ８ａが取り付けられている。これらの意匠やラン
プ８ａ及びパチンコ機２内部に設けられたスピーカ（図示せず）からの効果音により、遊
技が効果的に演出されるようになっている。さらに、装飾枠８の中央部にはガラス枠ユニ
ット１０が組み付けられたときにそのガラス１１が臨む透視孔８ｂがあけられており、そ
こから遊技者が遊技盤面６を視認できるようになっている（図２参照）。
【００４２】
装飾枠８は、遊技者から見て左辺８ｃ側に支軸部８ｄを有し、その支軸部８ｄによって
機枠４及び遊技盤面６に対して開閉可能に軸支されている。そしてその内面側、すなわち
遊技盤面６に対向する面側にガラス枠ユニット１０が取り付けられている。そのため、ガ
ラス枠ユニット１０は、遊技者にとって遊技盤面６の手前側に配置されることとなる。
【００４３】
ガラス枠ユニット１０は、図３に示すように保持枠１２が２枚のガラス１１（１１ａ，
１１ｂ）を保持して構成されている。その保持枠１２は、２つの保持枠体１２ｃ，１２ｄ
が積層して構成されていて、各保持枠体１２ｃ，１２ｄはそれぞれガラス１１ａ，１１ｂ
を１枚ずつ保持している。
【００４４】
ガラス枠ユニット１０はパチンコ機２に設けられた装飾枠８の内面側にガラス１１が透
視孔８ｂに臨むように組み付けられている。ガラス枠ユニット１０においては、保持枠体
１２ｃ，１２ｄがガラス１１ａ，１１ｂの外周部１１ｃ，１１ｄを囲むように保持し、一
体としてユニット構成されている。なお、本実施の形態１においては、ガラス１１は２枚
のガラス１１ａ，１１ｂを含み、一方のガラス１１ａは普通ガラスとされ、他方のガラス
１１ｂは強化ガラスとされている。
【００４５】
保持枠体１２ｃは、３個の保持枠部材１３〜１５を有して構成され、各保持枠部材１３
〜１５は互いに取り外し可能に連結されている。取り外し可能に連結とは、例えば保持枠
部材どうしがネジを用いて締結されていることや、連結解除が可能な連結部１６（図５参
照）により連結されていることを意味する。そして、連結時にはガラス１１ａを確実に保
持することができ、その後必要に応じて連結を解除することにより、ガラス１１ａと保持
枠体１２ｃとを分離することができるように構成されている。ガラス１１ａは、後述する
ように半円と長方形との組合せ形状とされており、それに合わせて保持枠部材１３，１４
は略１／４円弧形状、保持枠部材１５は略コ字状とされている。
【００４６】
保持枠部材１３〜１５には、図３に示すように内面（取付時にガラス１１ａの外周部１
１ｃに対向する側の面）にはガラス外周に対応して溝部１７ａが形成されている。この溝
部１７ａにガラス１１ａの外周部１１ｃが挿入され、ガラス１１ａは確実に保持枠体１２
に保持されるようになっている。したがって、ガラス枠ユニット１０をパチンコ機２に使
用中に、ガラス１１ａが保持枠体１２ｃから脱落するおそれがない。また、保持枠１２へ
の取付けの際にも、溝部１７ａにガラス１１ａの外周部１１ｃを挿入すればよいので、取
付位置がずれることもなく、取付作業が容易かつ確実なものとなる。なお、ガラス１１ａ
の外周部１１ｃと溝部１７ａとの間には、密閉部材としてのゴムパッキン１８が挿入され
、ガラス１１ａの前後空間の遮蔽性向上、ガラス１１ａのガタ付き防止等の機能を発揮し
ている。
【００４７】
保持枠部材１３〜１５は、鉄・アルミニウム等の金属材料、又はＡＢＳ・ＰＣ・ＰＰＳ
等の樹脂材料によって形成される。これらの中から選択した材料を用いて金型成形により
形成される場合が多いが、その場合このガラス枠ユニット１０を装飾枠８に組み付けるた
めの枠取付部１０ａ，１０ｂも一体成形される。
【００４８】
枠取付部１０ａは、保持枠体１２ｃの一方の側辺１２ａに実質的に同一形状のものが所
定距離離間して２個配置されており、枠取付部１０ｂは、保持枠体１２ｃの他方の側辺１
２ｂに実質的に同一形状のものが所定距離離間して２個配置されている。枠取付部１０ａ
は、装飾枠８の軸穴（図示せず）に挿入するための軸突部１０ｃを有し、枠取付部１０ｂ
は、装飾枠８のネジ穴（図示せず）に取り付けるネジを貫通させる貫通孔１０ｄを有して
いる。それぞれ２個の枠取付部が互いに所定距離離間しているので、保持枠体１２ｃを信
頼性高く確実に装飾枠８に組み付けることができる。また、それぞれ２個の枠取付部が互
いに実質的に同一形状とされているので、保持枠体１２ｃの製造・組立効率が向上する。
【００４９】
ガラス１１ａは、遊技者の遊技盤面６の視認性の確保、遊技者による遊技盤面６への不
正侵入防止、遊技盤面６上を流下する球のパチンコ機２外への落下防止等の機能を有して
いる。遊技盤面６の視認性確保の観点から、ガラス１１ａは、遊技盤面６の遊技領域より
も大きな面積を有し、遊技領域全体を見渡すことができる形状とされている。本実施の形
態１では、半円と長方形との組合せ形状とされているが、もちろん円形状や長方形状でも
よいし、意匠性が付加されたその他の形状（星形形状、五角形状等）とされていてもよい
。また、侵入防止・破損防止の観点から強化ガラスとされていてもよい。
【００５０】
以上、保持枠体１２ｃについて詳細に説明したが、保持枠体１２ｄについても枠取付部
１０ａ，１０ｂが配置されない点以外は実質的に同様であり、ガラス１１ｂの外周部１１
ｄがゴムパッキン１８とともに溝部１７ｂに挿入保持されているので説明を省略する。続
いて、保持枠体１２ｃと保持枠体１２ｄとの係合部について説明する。
【００５１】
図４は、保持枠体１２ｃと保持枠体１２ｄとの係合部１２ｅの詳細を示す部分拡大図で
ある。係合部１２ｅは、保持枠体１２ｃの裏面１２ｆの左右２箇所に形成された係合穴（
係合凹部）１２ｇと、保持枠体１２ｄの表面１２ｈの左右２箇所に形成された係合突起（
係合凸部）１２ｉとを有して構成されている。
【００５２】
保持枠体１２ｃの裏面１２ｆと保持枠体１２ｄの表面１２ｈとは両者が積層されたとき
に互いに対向する面である。また、係合穴１２ｇと係合突起１２ｉとは両保持枠体１２ｃ
，１２ｄが積層されたときに互いに対応する位置に形成されている。
【００５３】
この係合穴１２ｇに係合突起１２ｉを挿入することにより保持枠体１２ｃと保持枠体１
２ｄとは一体係合されるようになっている。係合穴１２ｇ及び係合突起１２ｉの位置を合
わせて保持枠体１２ｃと保持枠体１２ｄとを積層方向（図中Ｚ方向）に重ね合わせ、その
後、保持枠体１２ｄを保持枠体１２ｃに対して下方向（図中Ｘ方向）に相対移動させるこ
とにより、２つの保持枠体１２ｃ，１２ｄは確実に係合される。
【００５４】
一方、両者を分離する際には、保持枠体１２ｃに対して保持枠体１２ｄを上方向（−Ｘ
方向）に移動させた後に両保持枠体１２ｃ，１２ｄをＺ方向に沿って引き離せばよい。
【００５５】
このように、保持枠体１２ｃ，１２ｄを分離するに際して異なる２方向の相対移動を必
要とするように構成することで、不用意に両者が分離してしまうことがなく安全確実に透
明枠体の組立作業やメンテナンス作業を行うことができるようになっている。一方、意図
的に分離する際には特別な工具等を必要とせず両保持枠体１２ｃ，１２ｄを容易に分離す
ることができるので、一方のガラスや保持枠体の交換作業を簡単に行うことができる。
【００５６】
２つの保持枠体１２ｃ，１２ｄを係合する係合部１２ｅとしては、図５（ａ）に示す構
成のものや図５（ｂ）に示す構成のものが考えられる。図５（ａ）に示す係合穴１２ｊ及
び係合突起１２ｋにより構成される係合部１２ｅにおいては、図４に示した係合部１２ｅ
と同様に、Ｚ方向及びＸ方向の２方向の移動によって両保持枠体１２ｃ、１２ｄの係脱が
可能である。また、図５（ｂ）に示す係合穴１２ｌ及びロック機構１２ｍにより構成され
る係合部１２ｅにおいては、係合穴１２ｌとロック機構１２ｍのフック１２ｎの位置合わ
せをして両保持枠体１２ｃ，１２ｄをＺ方向に積層するのみでフック１２ｎが係合穴１２
ｌに係合する。一方、ロック機構１２ｍの解除ボタン１２ｐを押すと、フック１２ｎと係
合穴１２ｌとの係合が解除され、両保持枠体１２ｃ，１２ｄが分離する。
【００５７】
ガラス１１（１１ａ，１１ｂ）の代わりに他の透明樹脂材料等を板状透明部材として適
用することも可能である。それにより、部品コストの低減や軽量化等の効果を得ることが
できる。ガラス１１や透明樹脂材料により形成された板状透明部材が割れたり傷ついたり
した場合であっても、本実施の形態１に係る取付構造によれば、簡単に一方の保持枠体の
みを交換したり、保持枠体から板状透明部材を取り外して板状透明部材のみを交換するこ
とが可能である。また、本実施の形態１においては、ガラス１１が２枚構成とされている
が、もちろん２枚に限られず３枚以上の構成とすることも想定される。
【００５８】
機構盤は、遊技盤面６の裏側（遊技者から見て奥側）に配置される。この機構盤は景品
球（有価価値を有する遊技媒体）を払い出す機能を有しており、入賞球処理機構、球払出
機構、遊技制御装置、払出制御装置、各種球流路等（いずれも図示せず）を有しているが
、詳細については説明を省略する。
【００５９】
貯留皿３２は、機構盤の球払出機構によって払い出された景品球を貯留するためのもの
である。本実施の形態１においては、貯留皿３２は、球払出機構によって払い出された景
品球を貯留するとともに球を遊技盤面６上に弾球する弾球装置へと連通する上皿３２ａと
、上皿満杯時に球払出機構によって払い出された景品球を貯留するとともに上皿から排出
された球を受け入れる下皿３２ｂとを有している。
【００６０】
操作部３４は、遊技媒体に関連して各種操作を行うためのもので、本実施の形態１にお
いては球の発射操作及び発射強度の調整を行うための発射ハンドルがこれに該当する。そ
の他に、例えば球貸し操作のための球貸しボタン、球貸し用のカードをカード処理機に返
却させるためのカード返却ボタン、遊技盤面６内の部材を動作させて遊技を演出するため
の演出ボタン等を含んでもよい。また、遊技機がパチンコ機２でなくスロット機の場合は
、例えば図柄回転を開始させるためのスロットハンドルが操作部３４に該当する。
【００６１】
次に、このガラス枠ユニット１０の組立方法ガラス枠ユニット１０の装飾枠８への組み
付け方法について図６に示すフローチャートを用いて説明する。
【００６２】
まず、ガラス１１ａの外周部１１ｃにゴムパッキン１８を巻き付ける（Ｓ．１）。そし
てその外周部１１ｃを保持枠部材１３〜１５の溝部１７ａに挿入する（Ｓ．２）。その際
、ガラス１１ａの外形形状と合致するように、ガラス１１ａの半円状部分の外周部１１ｃ
を保持枠部材１３，１４の溝部１７ａに、ガラス１１ａの長方形状部分の外周部１１ｃを
保持枠部材１５の溝部１７ａにそれぞれ挿入する。外周部１１ｃへの挿入が完了したら、
各保持枠部材１３〜１５をネジにより取り外し可能に連結して保持枠体１２ｃとする（Ｓ
．３）。
【００６３】
ガラス１１ｂについても同様の作業を行い、各保持枠部材をネジにより取り外し可能に
連結して保持枠体１２ｄとする（Ｓ．４）。
【００６４】
保持枠体１２ｃの係合穴１２ｇの位置と保持枠体１２ｄの係合突起１２ｉの位置とを合
わせつつ保持枠体１２ｃの裏面１２ｆと保持枠体１２ｄの表面１２ｈとを密着させる（Ｓ
．５）。そして、両保持枠体１２ｃ，１２ｄをＸ方向に相対移動させて係合する（Ｓ．６
）。これにより、両保持枠体１２ｃ，１２ｄが積層してガラス１１を保持したガラス枠ユ
ニット１０が構成される。
【００６５】
ガラス枠ユニット１０の２個の軸突部１０ｃを装飾枠８の軸穴に挿入する（Ｓ．７）。
そして２個の貫通孔１０ｄを通して装飾枠８のネジ穴にネジを取付け、ガラス枠ユニット
１０を装飾枠８に組み付ける（Ｓ．８）。
【００６６】
［実施の形態２］
図７は、本発明の実施の形態２に係るガラス枠ユニットを構成する保持枠体２０の外観
斜視図である。なお、本実施の形態２においてもガラス枠ユニットは２枚のガラス１１ａ
，１１ｂを１枚ずつ保持する２つの保持枠体を有して構成されるが、説明の省略のため一
方の保持枠体２０についてのみ説明する。
【００６７】
この保持枠体２０は実施の形態１の場合と同様に内面に溝部１７ａを有し、そこにガラ
ス１１ａの外周部１１ｃが挿入されてガラス１１ａが保持されるものである。この保持枠
体２０は、１つの保持枠部材２２から構成されている。
【００６８】
保持枠部材２２は、弾性部材としての樹脂材料により形成されている。そして、ガラス
１１aの全周を囲むように全体として半円と長方形との組合せ形状とされているが、無端
状にループ形状を形成しているのではなく、一部が切断されて端部２２ａ，２２ｂを有し
ている。端部２２ａには、連結部１６としての係止フック１６ａが設けられ、端部２２ｂ
には連結部１６としての係止穴１６ｂが形成されている。この係止フック１６ａと係止穴
１６ｂとにより、両端部２２ａ，２２ｂは互いに取り外し可能に連結可能とされている。
【００６９】
保持枠部材２２は回転軸部２４を有している。この回転軸部２４は、２つの保持枠体の
積層方向（Ｚ方向）を軸として保持枠部材２２の上部２２ｃに対して下辺部（保持枠部材
２２の一部）２２ｄを回転可能とするためのものである。例えば図８（ａ）に示すように
、保持枠部材２２の上部２２ｃと下辺部２２ｄとを別部品として形成し、軸部材２６によ
り軸支してもよい。また、図８（ｂ）に示すように、保持枠部材２２の一部を薄肉にした
薄肉部２４ｂを有して回転軸部２４を形成し、その薄肉部２４ｂの弾性を利用することに
より下辺部２２ｄを回転可能としてもよい。
【００７０】
回転軸部２４により下辺部２２ｄを回転可能としたので、両端部２２ａ，２２ｂの連結
を解除して広げると受入開口２８を形成することが可能となっている。その受入開口２８
からガラス１１を保持枠部材２２の内部に受け入れ、保持枠体２０でガラス１１ａを保持
することができる。
【００７１】
なお、この実施の形態２においては保持枠部材２２が回転軸部２４を有して上部２２ｃ
に対して下辺部２２ｄが回転することにより受入開口２８を形成している。しかし、もち
ろん回転軸部２４を有さずとも、例えば円形のガラス１１ａを保持するために略Ｃ字状と
された保持枠部材２２が全体として充分な可撓性を有しており、そのＣ字の両端部２２ａ
，２２ｂを広げるとその弾性変形によって受入開口２８が形成されるようになっていても
よい。
【００７２】
以上、本発明の好ましい実施の形態を説明したが、本発明はこれらに限定されるもので
はなく、その要旨の範囲内で様々な変形や変更が可能である。
【図面の簡単な説明】
【００７３】
【図１】本発明の実施の形態１に係る板状透明部材の取付構造を適用したガラス枠ユニットを有するパチンコ機の外観斜視図である。
【図２】図１に示すパチンコ機の装飾枠の裏面にガラス枠ユニットが取り付けられている様子を示す説明図である。
【図３】ガラス枠ユニットの構造を一部断面で示す外観斜視図である。
【図４】保持枠体と保持枠体とを係合する係合部の詳細を示す部分拡大図である。
【図５】係合部の他の例を示す部分拡大図である。
【図６】本発明の実施の形態１に係るガラスの保持枠への取付方法及びその装飾枠への組み付け方法を説明するフローチャートである。
【図７】本発明の実施の形態２に係る保持枠の外観斜視図である。
【図８】回転軸部の構成の例を示す構造図であり、（ａ）は、軸部材により軸支したものを示し、（ｂ）は、薄肉部の弾性を利用したものを示す。
【図９】従来のガラス取付構造の例を説明するための図である。
【符号の説明】
【００７４】
２：パチンコ機
４：機枠
６：遊技盤面
８：装飾枠
１０：ガラス枠ユニット（透明枠体）
１０ａ，１０ｂ：枠取付部
１１，１１ａ，１１ｂ，１０４，１０６：ガラス（板状透明部材）
１１ｃ，１１ｄ：外周部
１２，１００：保持枠
１２ｃ，１２ｄ，２０：保持枠体
１２ｅ：係合部
１２ｆ：裏面
１２ｇ，１２ｊ，１２ｌ：係合穴（係合凹部）
１２ｈ：表面
１２ｉ，１２ｋ：係合突起（係合凸部）
１３〜１５，２２：保持枠部材
１６：連結部
１６ａ：係止フック
１６ｂ：係止穴
１７ａ：溝部
１８：ゴムパッキン（密閉部材）
２２ａ，２２ｂ：端部
２８：受入開口
【図１】
2007244677.tif 000003
【図２】
2007244677.tif 000004
【図３】
2007244677.tif 000005
【図４】
2007244677.tif 000006
【図５】
2007244677.tif 000007
【図６】
2007244677.tif 000008
【図７】
2007244677.tif 000009
【図８】
2007244677.tif 000010
【図９】
2007244677.tif 000011